(57)【特許請求の範囲】
【請求項１】
ディジタルコンテンツデータを記録再生する記録再生装置において、
複製許可条件が付与された前記ディジタルコンテンツデータを記録媒体に記録する記録手段と、
前記記録媒体に記録されているディジタルコンテンツデータの複製を他の記録再生装置上に生成させるユーザからの要求に応じ、前記ディジタルコンテンツデータに付与されている前記複製許可条件を抽出する抽出手段と、
抽出された前記複製許可条件に基づいて前記ディジタルコンテンツデータの複製を制御する制御手段を含み、
前記制御手段は、
抽出された前記複製許可条件が複製自由である場合、前記記録媒体に記録されているディジタルコンテンツデータの複製を他の記録再生装置上に生成させ、
抽出された前記複製許可条件が複製禁止である場合、前記記録媒体に記録されているディジタルコンテンツデータの複製を他の記録再生装置上に生成させるとともに、前記記録媒体から前記ディジタルコンテンツデータを消去させ、
抽出された前記複製許可条件が１対１許可である場合、
前記他の記録再生装置上に記録されているディジタルコンテンツデータの記録履歴である、前記ディジタルコンテンツデータを特定するＩＤ、および前記記録再生装置を特定するＩＤとを参照し、前記他の記録再生装置が前記ディジタルコンテンツデータを記録したことがないと確認できたときには、ユーザからの課金の支払いの了承を条件に前記ディジタルコンテンツデータの複製を前記他の記録再生装置上に生成させ、
前記他の記録再生装置が前記ディジタルコンテンツデータを記録したことがあると確認できたときには、前記ディジタルコンテンツデータの複製を禁止し、
抽出された前記複製許可条件が１対多許可である場合、ユーザからの前記要求毎に、ユーザからの課金の支払いの了承を条件に前記ディジタルコンテンツデータの複製を前記他の記録再生装置上に生成させる
記録再生装置。
【請求項２】
前記ディジタルコンテンツデータに付与されている複製許可条件には、前記ディジタルコンテンツデータが再生速度の１倍速で記録される場合には課金額を無料とし、前記ディジタルコンテンツデータが再生速度より速い所定の速度で記録される場合には課金額を有料とする課金情報が含まれている
請求項１に記載の記録再生装置。
【請求項３】
ディジタルコンテンツデータを記録再生する記録再生装置の記録再生方法において、
複製許可条件が付与された前記ディジタルコンテンツデータを記録媒体に記録する記録ステップと、
前記記録媒体に記録されているディジタルコンテンツデータの複製を他の記録再生装置上に生成させるユーザからの要求に応じ、前記ディジタルコンテンツデータに付与されている前記複製許可条件を抽出する抽出ステップと、
抽出された前記複製許可条件に基づいて前記ディジタルコンテンツデータの複製を制御する制御ステップを含み、
前記制御ステップは、
抽出された前記複製許可条件が複製自由である場合、前記記録媒体に記録されているディジタルコンテンツデータの複製を他の記録再生装置上に生成させ、
抽出された前記複製許可条件が複製禁止である場合、前記記録媒体に記録されているディジタルコンテンツデータの複製を他の記録再生装置上に生成させるとともに、前記記録媒体から前記ディジタルコンテンツデータを消去させ、
抽出された前記複製許可条件が１対１許可である場合、
前記他の記録再生装置上に記録されているディジタルコンテンツデータの記録履歴である、前記ディジタルコンテンツデータを特定するＩＤ、および前記記録再生装置を特定するＩＤとを参照し、前記他の記録再生装置が前記ディジタルコンテンツデータを記録したことがないと確認できたときには、ユーザからの課金の支払いの了承を条件に前記ディジタルコンテンツデータの複製を前記他の記録再生装置上に生成させ、
前記他の記録再生装置が前記ディジタルコンテンツデータを記録したことがあると確認できたときには、前記ディジタルコンテンツデータの複製を禁止し、
抽出された前記複製許可条件が１対多許可である場合、ユーザからの前記要求毎に、ユーザからの課金の支払いの了承を条件に前記ディジタルコンテンツデータの複製を前記他の記録再生装置上に生成させる
記録再生方法。
【発明の詳細な説明】
【０００１】
【発明の属する技術分野】
本発明は、情報処理装置および方法に関し、特に、ディジタルコンテンツデータの不正なコピーを抑止する場合に用いて好適な情報処理装置および方法に関する。
【０００２】
【従来の技術】
従来、ＣＤ(Compact Disc)、ＭＤ(Mini Disc)、DVD(Digital Versatile Disc)等のディジタル記録メディアに記録されて市販されたり、ディジタル衛星放送サービスで放送されるＡＶ（Audio Visual）データのようなディジタルコンテンツデータの著作権を尊重し、それらが無制限にコピーされることを抑止するために、SCMS(Serial Copy Management System)やCGMS(Copy Generation Manegement System)が存在する。
【０００３】
SCMSやCGMSにおいては、ディジタルコンテンツデータに対し、３種類の複製許可条件（複製自由（free）、１世代だけ複製可能(copy once)、および、複製禁止(prihibit)）が定められており、著作権が存在するディジタルコンテンツデータに対しては、通常、ユーザが個人的に編集すること等を考慮して、通常、複製許可条件「１世代だけ複製可能」が適用されていた。
【０００４】
【発明が解決しようとする課題】
ところで、複製許可条件「１世代だけ複製可能」が適用されたオリジナルのディジタルコンテンツデータは、その１世代目のデータ（オリジナルデータの子）を複製して２世代目のデータ（オリジナルデータの孫）を生成することはできないが、生成される１世代目のデータの数を制限することはできない課題があった。
【０００５】
また、生成される１世代目のデータの数を制限できたとしても、対価を支払うことによって、複数の１世代目のコピーデータの生成を許可するようなシステムがあれば、著作権者とユーザの両者にとって便利であるが、従来、そのようなシステムは存在しない課題があった。
【０００６】
本発明はこのような状況に鑑みてなされたものであり、ディジタルコンテンツデータの著作権を尊重し、且つ、ユーザの利便性を向上させることができるようにするものである。
【０００７】
【課題を解決するための手段】
本発明の記録再生装置は、複製許可条件が付与されたディジタルコンテンツデータを記録媒体に記録する記録手段と、記録媒体に記録されているディジタルコンテンツデータの複製を他の記録再生装置上に生成させるユーザからの要求に応じ、ディジタルコンテンツデータに付与されている複製許可条件を抽出する抽出手段と、抽出された複製許可条件に基づいてディジタルコンテンツデータの複製を制御する制御手段を含み、制御手段は、抽出された複製許可条件が複製自由である場合、記録媒体に記録されているディジタルコンテンツデータの複製を他の記録再生装置上に生成させ、抽出された複製許可条件が複製禁止である場合、記録媒体に記録されているディジタルコンテンツデータの複製を他の記録再生装置上に生成させるとともに、記録媒体からディジタルコンテンツデータを消去させ、抽出された複製許可条件が１対１許可である場合、他の記録再生装置上に記録されているディジタルコンテンツデータの記録履歴である、ディジタルコンテンツデータを特定するＩＤ、および記録再生装置を特定するＩＤとを参照し、他の記録再生装置がディジタルコンテンツデータを記録したことがないと確認できたときには、ユーザからの課金の支払いの了承を条件にディジタルコンテンツデータの複製を他の記録再生装置上に生成させ、他の記録再生装置がディジタルコンテンツデータを記録したことがあると確認できたときには、ディジタルコンテンツデータの複製を禁止し、抽出された複製許可条件が１対多許可である場合、ユーザからの要求毎に、ユーザからの課金の支払いの了承を条件にディジタルコンテンツデータの複製を他の記録再生装置上に生成させる。
【０００８】
前記ディジタルコンテンツデータに付与されている複製許可条件には、ディジタルコンテンツデータが再生速度の１倍速で記録される場合には課金額を無料とし、ディジタルコンテンツデータが再生速度より速い所定の速度で記録される場合には課金額を有料とする課金情報が含まれているようにすることができる。
【０００９】
本発明の記録再生方法は、複製許可条件が付与されたディジタルコンテンツデータを記録媒体に記録する記録ステップと、記録媒体に記録されているディジタルコンテンツデータの複製を他の記録再生装置上に生成させるユーザからの要求に応じ、ディジタルコンテンツデータに付与されている複製許可条件を抽出する抽出ステップと、抽出された複製許可条件に基づいてディジタルコンテンツデータの複製を制御する制御ステップを含み、制御ステップは、抽出された複製許可条件が複製自由である場合、記録媒体に記録されているディジタルコンテンツデータの複製を他の記録再生装置上に生成させ、抽出された複製許可条件が複製禁止である場合、記録媒体に記録されているディジタルコンテンツデータの複製を他の記録再生装置上に生成させるとともに、記録媒体からディジタルコンテンツデータを消去させ、抽出された複製許可条件が１対１許可である場合、他の記録再生装置上に記録されているディジタルコンテンツデータの記録履歴である、ディジタルコンテンツデータを特定するＩＤ、および記録再生装置を特定するＩＤとを参照し、他の記録再生装置がディジタルコンテンツデータを記録したことがないと確認できたときには、ユーザからの課金の支払いの了承を条件にディジタルコンテンツデータの複製を他の記録再生装置上に生成させ、他の記録再生装置がディジタルコンテンツデータを記録したことがあると確認できたときには、ディジタルコンテンツデータの複製を禁止し、抽出された複製許可条件が１対多許可である場合、ユーザからの要求毎に、ユーザからの課金の支払いの了承を条件にディジタルコンテンツデータの複製を他の記録再生装置上に生成させる。
【００１０】
本発明の記録再生装置および方法においては、記録媒体に記録されているディジタルコンテンツデータの複製を他の記録再生装置上に生成させるユーザからの要求に応じ、ディジタルコンテンツデータに付与されている複製許可条件が抽出される。そして、抽出された複製許可条件が複製自由である場合、記録媒体に記録されているディジタルコンテンツデータの複製が他の記録再生装置上に生成される。また、抽出された複製許可条件が複製禁止である場合、記録媒体に記録されているディジタルコンテンツデータの複製が他の記録再生装置上に生成されるとともに、記録媒体からディジタルコンテンツデータが消去される。さらに、抽出された複製許可条件が１対１許可である場合、他の記録再生装置上に記録されているディジタルコンテンツデータの記録履歴である、ディジタルコンテンツデータを特定するＩＤ、および記録再生装置を特定するＩＤとが参照され、他の記録再生装置がディジタルコンテンツデータを記録したことがないと確認できたときには、ユーザからの課金の支払いの了承を条件にディジタルコンテンツデータの複製が他の記録再生装置上に生成され、他の記録再生装置がディジタルコンテンツデータを記録したことがあると確認できたときには、ディジタルコンテンツデータの複製が禁止され、抽出された複製許可条件が１対多許可である場合、ユーザからの要求毎に、ユーザからの課金の支払いの了承を条件にディジタルコンテンツデータの複製が他の記録再生装置上に生成される。
【００１９】
【発明の実施の形態】
本発明を適用したディジタルコンテンツデータ伝送システムの構成例について、図１を参照して説明する。このディジタルコンテンツデータ伝送システムは、ディジタル放送サービス（ディジタル衛星放送サービス、ディジタル地上放送サービス、ディジタルケーブルテレビジョン放送サービス等）で放送されるディジタルコンテンツデータを受信する受信装置１、受信装置１が受信したディジタルコンテンツデータを記録媒体に記録し、また再生する記録再生装置５，６、および、受信装置１が受信したディジタルコンテンツデータや、記録再生装置５，６が再生したディジタルコンテンツデータを表示するモニタ７が、IEEE１３９４バス８を介して接続されている。
【００２０】
ここで、ディジタルコンテンツデータとは、例えば、放送される映画等のＡＶデータや、楽曲のオーディオデータ等であり、放送サービス提供側によって複製許可条件が付与されている。複製許可条件とは、従来のSCMSやCGMSで規定されている条件（複製自由（free）、１世代だけ複製可能(copy once)、および、複製禁止(prohibit)）に、「複製１対１許可（課金を条件に、オリジナルの複製を１世代、１回に限り許可する）」、および「複製１対多許可（課金を条件に、オリジナルの複製を１世代、複数回許可する）」を追加したものとする。なお、課金の金額の情報は、複製許可条件に含まれているものとする。複製許可条件に、上述した以外の項目を追加することも可能である。
【００２１】
受信装置１には、受信装置１が出力する信号に対応する画像を表示するモニタ２が接続されている。さらに、受信装置１には、公衆電話回線網３を介して、放送局側のコンテンツ管理装置４が接続されている。コンテンツ管理装置４は、受信装置１の視聴履歴と、記録再生装置５，６によるディジタルコンテンツデータの記録履歴とを管理する。
【００２２】
図２は、受信装置１の詳細な構成例を示している。受信回路１１は、アンテナ等から入力されるディジタル放送信号から、ユーザの選局操作に対応する番組のディジタルコンテンツデータを抽出し、デスクランブル回路１２に出力する。デスクランブル回路１２は、受信回路１１から入力されるディジタルコンテンツデータにスクランブルが施されている場合、課金制御回路１３から供給される復号鍵Ａを用いてスクランブルを解除して、バス用暗号化回路１５および複製許可条件抽出回路１８に出力する。
【００２３】
課金制御回路１３は、ユーザの視聴の契約形態に対応する再生許可条件が付与されているディジタルコンテンツデータに対して、スクランブルの解除に用いる復号鍵Ａをデスクランブル回路１２に供給する。課金制御回路１３はまた、ユーザの視聴履歴（例えば、ペイパービュー番組を視聴した記録等）やIEEE１３９４インタフェース１６およびIEEE１３９４バス８を介して入力される記録再生装置５，６のディジタルコンテンツデータの記録履歴を内蔵するＩＣカード等の記憶媒体に記憶し、記憶した視聴履歴や記録履歴を、定期的にモデム１４および公衆電話回線網３を介して放送局側のコンテンツ管理装置４に送信する。課金制御回路１３は、コンテンツ管理装置４が管理している視聴履歴や記録履歴を読み出すことができる。さらに、課金制御回路１３は、コンテンツ管理装置４から供給される、記録再生装置５，６で用いられる記録用暗号鍵ＣをIEEE１３９４インタフェース１６に出力する。
【００２４】
バス用暗号化回路１５は、デスクランブル回路１２から入力されるディジタルコンテンツデータに付与されている複製許可条件が「複製自由」ではない場合、当該ディジタルコンテンツデータをIEEE１３９４バス８に伝送した際、不正にディジタルコンテンツデータが傍受されて利用されないように、当該ディジタルコンテンツデータをバス用暗号鍵Ｂを用いて暗号化してIEEE１３９４インタフェース１６に出力し、複製許可条件が「複製自由」である場合、暗号化せずに、IEEE１３９４インタフェース１６に出力する。
【００２５】
IEEE１３９４インタフェース１６は、IEEE１３９４バス８に接続されている通信先の電子装置のIEEE１３９４インタフェース（例えば、記録再生装置５のIEEE１３９４インタフェース３１（図３））と相互認証を行った後、暗号化されたディジタルコンテンツデータとその暗号化に用いられたバス用暗号鍵Ｂを、IEEE１３９４バス８を介して、他の電子装置に送信する。なお、複製許可条件が「複製自由」であるディジタルコンテンツデータ、すなわち、暗号化されていないディジタルコンテンツデータを送信するときには、相互認証を実行しなくてもかまわない。IEEE１３９４インタフェース１６はさらに、課金制御回路１３および公衆電話回線網３を介してコンテンツ管理装置４から供給される記録用暗号鍵Ｃを、IEEE１３９４バス８を介して記録再生装置５，６に送信する。
【００２６】
バス用暗号復号回路１７は、IEEE１３９４インタフェース１６から入力されるディジタルコンテンツデータが暗号化されている場合、同時に入力されるバス用暗号鍵Ｂを用いて当該ディジタルコンテンツデータを復号し、複製許可条件抽出回路１８に出力する。複製許可条件抽出回路１８は、デスクランブル回路１２またはバス用暗号復号回路１７から入力される、符号化されたディジタルコンテンツデータ（複製許可条件が付与されている）を、符号化されたディジタルコンテンツデータと、その複製許可条件に分離して、符号化されたディジタルコンテンツデータをデコード回路１９に出力し、複製許可条件を制御回路２０に出力する。デコード回路１９は、符号化されたディジタルコンテンツデータ（例えば、MPEGエンコードされているディジタルコンテンツデータ）をデコードし（MPEGエンコードし）、モニタ２に出力する。
【００２７】
制御回路２０は、ドライブ２１を制御して、磁気ディスク２２、光ディスク２３、光磁気ディスク２４、または半導体メモリ２５に記憶されている制御用プログラムを読み出し、読み出した制御用プログラム、複製許可条件抽出回路１８から入力されるディジタルコンテンツデータの複製許可条件、ユーザから入力されるコマンド等に基づいて、受信装置１の各回路を制御する。
【００２８】
図３は、記録再生装置５の詳細な構成例を示している。はじめに、記録系について説明する。IEEE１３９４インタフェース３１は、IEEE１３９４バス８を介して通信先から供給されるディジタルコンテンツデータとバス用暗号鍵Ｂを受信し、バス用暗号復号回路３２に出力する。IEEE１３９４インタフェース３１はまた、バス用暗号化回路４０から入力されるディジタルコンテンツデータと、その暗号化に用いられたバス用暗号鍵Ｂを、IEEE１３９４バス８を介して送信先の電子装置に送信する。IEEE１３９４インタフェース３１はさらに、IEEE１３９４バス８、受信装置１、および公衆電話回線網３を介してコンテンツ管理装置４から供給される記録用暗号鍵Ｃを受信して、記録用暗号化回路３５および記録用暗号復号回路３９に出力する。
【００２９】
バス用暗号復号回路３２は、IEEE１３９４インタフェース３１から入力されるディジタルコンテンツデータが暗号化されている場合、同時に入力されるバス用暗号鍵Ｂを用いて当該信号を復号し、複製許可条件抽出回路３３に出力する。複製許可条件抽出回路３３は、バス用暗号復号回路３２からディジタルコンテンツデータ（複製許可条件が付与されている）を、ディジタルコンテンツデータと、その複製許可条件に分離して、ディジタルコンテンツデータを記録用暗号化回路３５に出力し、複製許可条件を記録制御回路３４に出力する。
【００３０】
記録制御回路３４は、複製許可条件抽出回路３３から入力される複製許可条件に対応して、記録用暗号化回路３５および記録回路３６を制御する。例えば、ディジタルコンテンツデータの複製許可条件が「複製禁止」である場合、記録用暗号化回路３５および記録回路３６の動作を禁止する。
【００３１】
記録用暗号化回路３５は、複製許可条件抽出回路３３からのディジタルコンテンツデータを、記録用暗号鍵Ｃを用いて暗号化し、記録回路３６に出力する。記録回路３６は、暗号化され、且つ、ディジタルコンテンツデータを記録媒体３７に記録する。再生回路３８は、記録媒体３７に記録されている、暗号化されたディジタルコンテンツデータを読み出して、記録用暗号復号回路３９に出力する。
【００３２】
次に、再生系について説明する。再生回路３８は、記録媒体３７に記録されている、暗号化さたディジタルコンテンツデータを読み出して、記録用暗号復号回路３９に出力する。記録用暗号復号回路３９は、再生回路３８から入力される暗号化されているディジタルコンテンツデータを、記録用暗号鍵Ｃを用いて復号し、バス用暗号化回路４０に出力する。バス用暗号化回路４０は、記録用暗号復号回路３９から入力されるディジタルコンテンツデータを、バス用暗号鍵Ｂを用いて暗号化し、IEEE１３９４インタフェース１６に出力する。IEEE１３９４インタフェース３１は、バス用暗号化回路４０から入力されるディジタルコンテンツデータと、その暗号化に用いられたバス用暗号鍵Ｂを、IEEE１３９４バス８を介して送信先の電子装置に送信する。IEEE１３９４インタフェース３１はさらに、記録再生装置５でのディジタルコンテンツデータの記録履歴（当該ディジタルコンテンツデータを特定する作品ＩＤと、記録再生装置５を特定する装置ＩＤ）を受信装置１に送信する。
【００３３】
バス用暗号鍵Ｂで暗号化されたディジタルコンテンツデータは、IEEE１３９４インタフェース３１から、IEEE１３９４バス８を介して、モニタ７に送信されて表示されたり、受信装置１に送信されてモニタ２に表示されたり、記録再生装置６に送信されて、複製許可条件に従って記録される。
【００３４】
なお、記録再生装置６の構成は、記録再生装置５の構成と同様であるので、その説明は省略する。
【００３５】
図４は、モニタ７の詳細な構成例を示している。IEEE１３９４インタフェース４１は、IEEE１３９４バス８を介して通信先から供給されるディジタルコンテンツデータの信号と暗号鍵Ａを受信し、バス用暗号復号回路４２に出力する。バス用暗号復号回路４２は、IEEE１３９４インタフェース４１から入力されるディジタルコンテンツデータが暗号化されている場合、同時に入力されるバス用暗号鍵Ｂを用いて当該信号を復号し、多重分離回路４３に出力する。多重分離回路４３は、バス用暗号復号回路４２からのディジタルコンテンツデータを、符号化されている画像信号と、符号化されている音声信号に分離して、符号化されている画像信号を画像デコード回路４４に出力し、符号化されている音声信号を音声デコード回路４６に出力する。
【００３６】
画像デコード回路４４は、多重分離回路４３から入力される符号化されている画像信号をデコードしてディスプレイ４５に出力する。ディスプレイ４５は、CRTやLCD等であり、画像デコード回路４４からの画像信号に対応する画像を表示する。音声デコード回路４６は、多重分離回路４３から入力される符号化されている音声信号をデコードしてスピーカ４７に出力する。スピーカ４７は、音声デコード回路４６からの音声信号を放音する。
【００３７】
次に、このディジタルコンテンツデータ伝送システムを用いて、複製許可条件「複製自由」、「複製禁止」、「複製１対１許可」、または「複製１対多許可」が付与されているディジタルコンテンツデータを受信して記録する動作について、図５のフローチャートを参照して説明する。
【００３８】
この記録処理は、ユーザによって、受信装置１に選局コマンドが入力され、記録再生装置５に記録コマンドが入力されることによって開始される。ステップＳ１において、受信装置１のIEEE１３９４インタフェース１６と記録再生装置５のIEEE１３９４インタフェース３１は、IEEE１３９４バス８を介して相互認証を実行する（バス用暗号鍵の授受を含む）。
【００３９】
ステップＳ２において、受信装置１の受信回路１１では、アンテナ等から入力されたディジタル放送信号から、ユーザの選局操作に対応する番組のディジタルコンテンツデータが抽出されてデスクランブル回路１２に出力される。デスクランブル回路１２では、受信回路１１からのディジタルコンテンツデータに施されているスクランブルが、課金制御回路１３から供給された復号鍵Ａを用いて解除され、バス用暗号化回路１５および複製許可条件抽出回路１８に出力される。複製許可条件抽出回路１８では、デスクランブル回路１２からのディジタルコンテンツデータから付与されている複製許可条件が読み出されて制御回路２０に供給される。制御回路２０では、複製許可条件が確認される。
【００４０】
ステップＳ３において、ステップＳ２で確認された複製許可条件が「複製禁止」であるか否かが判定され、複製許可条件が「複製禁止」ではないと判定された場合、ステップＳ４に進む。
【００４１】
ステップＳ４において、ステップＳ２で確認された複製許可条件が「複製自由」であるか否かが判定され、複製許可条件が「複製自由」ではないと判定された場合、ステップＳ５に進む。
【００４２】
ステップＳ５において、ステップＳ２で確認された複製許可条件が「複製１対１許可」であるか否かが判定され、複製許可条件が「複製１対１許可」であると判定された場合、ステップＳ６に進む。
【００４３】
ステップＳ６において、課金制御回路１３は、自己が記憶している記録履歴（また、コンテンツ管理装置１４から読み出した記録履歴）を参照し、記録再生装置５が当該ディジタルコンテンツデータを記録した（複製を生成した）履歴を検索する。ステップＳ７において、ステップＳ６での検索の結果に基づいて、記録再生装置５が当該ディジタルコンテンツデータを記録したことがあるか否かが判定され、記録再生装置５が当該ディジタルコンテンツデータを記録したことがないと判定された場合、ステップＳ８に進む。
【００４４】
ステップＳ８において、ユーザに対し、ディジタルコンテンツデータを記録すること（複製を１回生成すること）に対する課金の値段が提示される（例えば、受信装置１に直結されているモニタ２に表示される）。この提示に対応して、ユーザは課金の支払いを了承するか否かを示すコマンドを受信装置１に対して入力する。
【００４５】
ステップＳ９において、制御回路２０は、ユーザが課金の支払いを了承したか否かを判定し、ユーザが課金の支払いを了承したと判定した場合、その情報を課金制御回路１３に記憶させた後、ステップＳ１０に進む。
【００４６】
ステップＳ１０において、ディジタルコンテンツデータは、バス用暗号化回路１５でバス用暗号鍵Ｂを用いて暗号化され、IEEE１３９４インタフェース１６から記録再生装置５に送信される。当該ディジタルコンテンツデータは、記録再生装置５のIEEE１３９４インタフェース３１で受信され、バス用暗号復号回路３２で、復号された後、記録用暗号化回路３５で、記録用暗号鍵Ｃを用いて暗号化され、記録媒体３７に記録される。
【００４７】
なお、ステップＳ５において、ステップＳ２で確認された複製許可条件が「複製１対１許可」ではないと判定された場合、ディジタルコンテンツデータに付与されている複製許可条件が「複製１対多許可」であるので、ステップＳ６，Ｓ７はスキップされる。
【００４８】
ステップＳ７において、記録再生装置５が当該放送信号としてのディジタルコンテンツデータを記録したことがあると判定された場合、ステップＳ１２において、ユーザに対し、当該ディジタルコンテンツデータの複製許可条件が「複製１対１許可」であり、且つ、既に１回複製を生成している旨が提示され、記録処理が終了される。
【００４９】
また、ステップＳ９において、ユーザが課金の支払いを了承しないと判定された場合も、この記録処理は終了される。
【００５０】
ステップＳ３において、ステップＳ２で確認された複製許可条件が「複製禁止」であると判定された場合、ステップＳ１１で、当該ディジタルコンテンツデータの複製許可条件が「複製禁止」である旨が提示されて、記録処理が終了される。
【００５１】
ステップＳ４において、ステップＳ２で確認された複製許可条件が「複製自由」であると判定された場合、ステップＳ５乃至Ｓ９はスキップされ、当該ディジタルコンテンツデータは、バス用の暗号化が施されずにIEEE１３９４バス８に出力され、記録再生装置５では、記録用の暗号が施されずに記録媒体３７に記録される。
【００５２】
以上のように、本発明によれば、ディジタルコンテンツデータを記録しようとした場合、コンテンツに付与されている複製許可条件に基づいて制御され、特に、複製許可条件が「複製１対１許可」であるときには、記録履歴が参照されるので、１世代目の複製の数を１に制限することが可能であるので、ディジタルコンテンツデータの著作権を保護できる。
【００５３】
ところで、上述した処理により、記録再生装置５で記録媒体３７に記録したディジタルコンテンツデータを再生して、IEEE１３９４バス８に接続されている記録再生装置６を用いて編集することは、編集結果がオリジナルデータからみて２代目の複製となるので、現状では、当該ディジタルコンテンツデータの複製許可条件が「複製自由」であるときだけしか実行できない。
【００５４】
そこで、ユーザの利便性を向上させるために、記録再生装置５で記録媒体３７に記録したディジタルコンテンツデータの複製許可条件が「複製自由」ではない場合においても、記録再生装置６を用いて当該コンテンツの編集を行えるようする。具体的には、記録再生装置５で記録媒体３７からディジタルコンテンツデータを再生し、記録再生装置６に出力した後、記録媒体３７に記録されているディジタルコンテンツデータを自動的に消去して、事実上、オリジナルの複製が１つだけ存在するようにする。その制御は、受信装置１の課金制御回路１３が実行する。このような処理により、新たな課金を発生させることなく、著作物（記録したディジタルコンテンツデータ）の移動が可能となる。
【００５５】
次に、ディジタルコンテンツデータに対して複製許可条件を付与する他の例について説明する。例えば、楽曲等のディジタルコンテンツデータに対し、例えば、その再生速度の１倍速で記録することができるような伝送レートで放送する場合は、複製許可条件に含まれる課金額を無料とし、再生速度の１０倍速で記録することができるような伝送レートで放送する場合は、ユーザにとって利便性が高いので、複製許可条件に含まれる課金額を有料とする。
【００５６】
このようにすることで、単純に、ディジタルコンテンツデータの複製を制限するのではなく、課金を条件に複製の生成を許可したり、課金を発生させずに著作物の移動を可能としたので、ユーザの利便性が向上する。
【００５７】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００５８】
この記録媒体は、図２に示すように、コンピュータとは別に、ユーザにプログラムを提供するために配布される、プログラムが記録されている磁気ディスク２２（フロッピディスクを含む）、光ディスク２３（CD-ROM(Compact Disc-Read Only Memory)、DVD(Digital Versatile Disc)を含む）、光磁気ディスク２４（ＭＤ(Mini Disc)を含む）、もしくは半導体メモリ２５などよりなるパッケージメディアにより構成されるだけでなく、コンピュータに予め組み込まれた状態でユーザに提供される、プログラムが記録されているROMや記憶部に含まれるハードディスクなどで構成される。
【００５９】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【００６０】
また、本明細書において、システムとは、複数の装置により構成される装置全体を表すものである。
【００６１】
【発明の効果】
以上のように、本発明によれば、ディジタルコンテンツデータの著作権を尊重し、且つ、ユーザの利便性を向上させることが可能となる。
【図面の簡単な説明】
【図１】本発明を適用したディジタルコンテンツデータ伝送システムの構成例を示すブロック図である。
【図２】図１の受信装置１の構成例を示すブロック図である。
【図３】図１の記録再生装置５の構成例を示すブロック図である。
【図４】図１のモニタ７の構成例を示すブロック図である。
【図５】ディジタルコンテンツデータ伝送システムの動作を説明するフローチャートである。
【符号の説明】
１  受信装置，  ４  コンテンツ管理装置，  ５，６  記録再生装置，  ７  モニタ，  ８  IEEE１３９４バス，  １１  受信回路，  １３  課金制御回路，１５  バス用暗号化回路，  １６  IEEE１３９４インタフェース，  １７  バス用暗号復号回路，  １８  複製許可条件抽出回路，  ２０  制御回路，  ２１ドライブ，  ２２  磁気ディスク，  ２３  光ディスク，  ２４  光磁気ディスク，  ２５  半導体メモリ，  ３１  IEEE１３９４バス，  ３３  複製許可条件抽出回路，  ３５  記録用暗号化回路，  ３９  記録用暗号復号回路
【図１】
0004573377.tif 000002
【図２】
0004573377.tif 000003
【図３】
0004573377.tif 000004
【図４】
0004573377.tif 000005
【図５】
0004573377.tif 000006